(57)【要約】携帯電話機が取得するメールやその他の情報を取り出し、外部ディスプレイに表示する携帯電話データ表示アダプタに関する。【課題】携帯電話機が得るメールやさまざまな情報は携帯電話機本体のディスプレイにしか表示できなく非常に狭い範囲での閲覧しかできない。【解決手段】携帯電話機からさまざまな情報を取り出し、外部ディスプレイや表示装置、広告表示灯、ネオンサインなどに表示し広範囲に情報を表示させることができる装置。【選択図】図１
2005039753.tif 000002
【特許請求の範囲】
【請求項１】
携帯電話機が取得する情報を外部ディスプレイに表示する装置であって、携帯電話機からの情報を取り出す情報取得手段と、取り出した情報を蓄積する記憶手段と、表示フォーマットに変換する変換手段と、表示部にデータを伝送する送出手段をもつことを特徴とする携帯電話データ表示アダプタ。
【請求項２】
取り出した情報に任意のデータを付加する機能をもつことを特徴とする請求項１の携帯電話データ表示アダプタ。
【発明の詳細な説明】
【発明の詳細な説明】
【技術分野】
【０００１】  本発明は、携帯電話機が得られるメールやさまざまな情報を外部ディスプレイに表示し広範囲に伝達し情報を手軽に得られることを可能にした装置に関するものである。
【背景技術】
【０００２】  従来は携帯電話へのメールや情報は携帯電話機本体の操作によって携帯電話機のディスプレイに表示し閲覧することができる。また携帯電話機内部に登録された電話帳などをパソコンに取りこんだり、編集したり、携帯電話機に登録することができるシステムも開発されている。さらに携帯電話機内にあるメール情報をプリンタに印字したりすることも可能な装置も開発されている。
【発明が解決しようとする課題】
【０００３】  以上のように、プリンタやパソコンなどに携帯電話のデータやメールを取り出し印刷、編集、閲覧したりする装置は既に存在する。また携帯電話機を利用したデータ通信で情報の送受信を行う装置などはごく一般的である。しかしながら近年携帯電話への情報は多種多様に渡り緊急情報、生活情報なども携帯電話がリアルタイムで受けるシステムが完成している。本発明は、携帯電話が得る情報を携帯電話本体だけでなく、広範囲に知らせるために携帯電話の外部に表示部を設け携帯電話が取得する情報を視認させるための装置を提供する。
【課題を解決するための手段】
【０００４】  前述の目的を達成するために本発明は、携帯電話機が取得する情報を外部ディスプレイに表示する装置であって、携帯電話機からの情報を取り出す情報取得手段と、取り出した情報を蓄積する記憶手段と、表示フォーマットに変換する変換手段と、表示部にデータを伝送する送出手段をもつことを特徴とする携帯電話データ表示アダプタを請求項１の発明とし、請求項１の発明において取り出した情報に任意のデータを付加する機能をもつことを特徴とする携帯電話データ表示アダプタを請求項２の発明とし上記課題を解決するものである。
【実施例】
【０００５】  次に、本発明の好ましい実施の形態を図にもとづいて詳細に説明する。
図１に示すように、携帯電話機２のインターフェース部２ａは本アダプタ１の接続部４に接続ケーブル３を経由して接続されている。その他にメールや情報を蓄積する記憶部（ＲＡＭ）６、データを表示部１０に送信する送出部７や制御部（ＣＰＵ）５、送出データを外部表示部で伝送する信号線８、各部を動作させるための電源を供給する電源部９などで構成されている。【０００６】  今、携帯電話機２は待機状態にあり発信や着信が可能な状態ある。
携帯電話機２に情報や、メールの到達があると、携帯電話機２は内部に情報を蓄積するとともに携帯電話機２から到達の情報がインターフェース部２ａを通じアダプタ本体１の接続部４に伝達される。
この動作はメール受信を行うことのできる携帯電話機が持つ標準の機能である。接続部４は携帯電話機２からのデータや信号、携帯電話機２への信号のレベルを合わせるためのもので電子部品により構成されるがレベルなどを合わせる必要の無い場合などは接点や直接接続でも良い。接続部４へ信号が到達すると制御部５はメール到達を認識できるので、携帯電話機２へ接続部４を経由し携帯電話機２にメールデータを取りだすコマンド（シリアル信号など）を送出する。【０００７】  携帯電話機２はこのメール読み出し要求コマンド（シリアル信号）を受け取るとメールデータを送出する。送出されるメールデータは１６進数のコードなどで構成されており、コンピュータなどに用いられている一般的なものである。
メールデータを受け取ったアダプタ１は制御部５を介し記憶部（ＲＡＭ）６にデータの一部もしくは全部を記憶する。記憶されたデータは不要なデータなどが含まれていたり、必ずしも表示の順序どおりのものではない場合も多い。【０００８】  そのため、制御部５は記憶された情報を確認し、まず必要でないデータを取り除き記憶部６へ再び記憶する。
記憶順序については記憶してから編集するに限らず、蓄積する時点で不要データを取り除いても良いし、編集する必要の無い場合などはそのまま記憶しても良い。さらに記憶部６（ＲＡＭ）を別構成としなくても、プログラム内での記憶を記憶部の変わりとして利用しても良い。【０００９】  つぎに、不要なデータを取り除かれたメールデータは外部表示装置１０に合わせたデータフォーマットに変換を行う。
変換は、具体的に制御部５が外部表示装置１０の文字の大きさや、スクロール設定、点滅など外部表示装置１０に合わせ、追加のデータや表示用フォーマットに変換する。
もちろん外部表示装置１０によって異なるので、表示装置に合わせたフォーマット変換が必要になることは言うまでもない。【００１０】  変換を完了した後、送出部７にデータを表示順序、時間などを調節し伝達する。送信部７は外部表示装置部１０とアダプタ１間でデータがスムーズに伝達できるように電気的にレベルあわせを行うものでありＩＣやトランジスタ、ダイオードなどの電子部品で構成される。【００１１】  表示データは外部表示装置部１０へは信号線８を通じ伝達される。伝送方法は周知のＲＳ２３２Ｃ、ＲＳ４８５、ＲＳ４２２などの通信方式などがあるが他の通信方式や独自に決めた通信方式を使用しても良い。その後、表示データを受け取った外部表示装置部１０はデータにしたがって文字や記号など表示を行う。【００１２】  また外部表示装置部１０内にデータ編集機能をもてば携帯電話機２からのメールデータなどを編集せずにそのまま外部表示装置部１０へ伝送すれば良い。
さらに、あらかじめ外部表示装置部１０でブザー、ランプなどを構成させ、情報内容に応じてブザー鳴動データや、ランプ点灯データを追加し、データを伝送すれば外部表示装置部１０側で鳴動させたり、ランプを点灯したりすることもできるので、視認性はさらに向上する。具体的には１６進データの‘０Ｄ’をランプ点灯、‘０Ｅ’をランプ消灯と表示装置部１０であらかじめ決めておけばこのデータを伝送すればランプの点灯、消灯が自由自在になる。【００１３】  さらに、携帯電話機２からの情報到達を待つことなく、ある一定の時刻やある時間ごとに携帯電話機２の情報を取り出せば時間に応じた情報の表示も可能になる。
実施例ではメール情報としたが、メールのみに限定することなく携帯電話が受け取る、地域情報、生活情報なども同様な方法で可能になることは言うまでも無い。【００１４】  一方、外部表示装置部１０を文字の出せる広告表示灯などのようなものやネオンサインにすれば、外部から本アダプタ１に接続された携帯電話機２に表示したいメール情報を送ることで、メール情報がリアルタイムに広告表示灯に表示することができ、広告表示灯やネオンサインに触れることなく、遠方からでも簡単に自由に変更することができる。
メール情報などは必ずしも文字データに限らず、外部表示装置が画像を表示できるようなものであれば映像としても応用が可能である。
【発明の効果】
【００１５】  以上のように、携帯電話機に到達されるメール情報、一般情報、地域情報、緊急情報などを即座に別ディスプレイや表示装置に表示させることができ、従来のように携帯電話本体のディスプレイで閲覧するに限られた視野内ではなく、情報をリアルタイムかつ広範囲に伝達することができる。
たとえば企業においては表示装置を社員の見えやすい場所に設置をし、営業マンなどが外出先からメールを携帯電話機に向けて発信すれば会社内で広範囲での情報表示が可能になる。
さらに緊急情報、災害情報などもリアルタイムでの視認性が高い確認が可能となり、災害などの拡大を未然に防ぐことができ社会に貢献すること大である。
【００１６】  また外部装置を広告表示灯やネオンサインなどにすれば遠隔地からの表示変更や短時間での表示変更などさまざまな応用が可能になり経費の削減に寄与することができる。
【図面の簡単な説明】
【００１７】
【図１】図１は、本発明の好ましい実施のブロック図である。
【符号の説明】
１…アダプタ本体
２…携帯電話機
２ａ…携帯電話機インターフェース部
３…携帯電話機接続ケーブル
４…接続部
５…制御部（ＣＰＵ）
６…記憶部（ＲＡＭ）
７…送出部
８…信号線
９…電源部
１０…外部表示装置部
【図１】
2005039753.tif 000003